【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
レンズ本体と、
近位端と遠位端とを有するハプティックベースであって、ハプティックベースの近位端は垂直方向に可撓性の第一の接合域によってレンズ本体に連結され、第一の接合域はレンズ本体に対して垂直方向に屈曲するハプティックベースと、
ハプティックテールであって、ハプティックテールは水平方向に可撓性の部材によってハプティックテールに連結されたハプティックフットプレートを有し、水平方向に可撓性の部材はレンズ本体に対して水平方向に屈曲し、ハプティックベースの遠位端は垂直方向に可撓性の第二の接合域によってハプティックテールに連結され、第二の接合域はレンズ本体に対して垂直方向に屈曲するハプティックテールと
を含む眼内レンズ。
【請求項２】
レンズ本体、第一の接合域、ハプティックベース、第二の接合域およびハプティックテールはＳ字形カーブを形成する、請求項１に記載の眼内レンズ。
【請求項３】
レンズ本体とハプティックベースとは第一の接合域で鋭角をなして会合し、ハプティックベースとハプティックテールとは第二の接合域で鋭角をなして会合する、請求項１に記載の眼内レンズ。
【請求項４】
第一の接合域の角度と第二の接合域の角度とはレシピエントの眼球への眼内レンズの移植のときに減少する、請求項３に記載の眼内レンズ。
【請求項５】
第一の接合域の角度と第二の接合域の角度とは眼内レンズがレシピエントの眼球に適応した後に増大する、請求項４に記載の眼内レンズ。
【請求項６】
第一の接合域の角度と第二の接合域の角度とは移植後１〜６時間で安定する、請求項５に記載の眼内レンズ。
【請求項７】
レシピエントの眼球への眼内レンズの移植のときに、ハプティックフットプレートは水平方向に変位する一方で、第一と第二の垂直方向に可撓性の接合域は垂直方向に変位し、こうしてレンズ本体の垂直方向湾曲を最小化する、請求項１に記載の眼内レンズ。
【請求項８】
ハプティックフットプレートは可撓性の部材の幅よりも大きな幅を有する、請求項１に記載の眼内レンズ。
【請求項９】
レンズ本体はさらに１つの光学系を含んでいる、請求項１に記載の眼内レンズ。
【請求項１０】
光学系は屈折光学系である、請求項９に記載のレンズ。
【請求項１１】
光学系は回折光学系である、請求項９に記載のレンズ。
【請求項１２】
回折光学系は、構造体への入射光が光位相ずれを経験するゾーン境界を定める複数のゾーンを有するマルチレベル回折構造体であり、各々の波長の光を異なった回折レベル、ｍ、ｍ≧１で前記焦点に回折させて、複数レベルの回折一重線を付与する、請求項１１に記載のレンズ。
【請求項１３】
光学系は屈折要素と回折要素とを含んでいる、請求項９に記載のレンズ。
【請求項１４】
レンズ本体と、
近位端と遠位端とを有するハプティックベースであって、ハプティックベースの近位端は垂直方向に可撓性の第一の接合域によってレンズ本体に連結されて第一の角度を形成するハプティックベースと、
ハプティックテールであって、ハプティックテールは水平方向に可撓性の部材によってハプティックテールに連結されたハプティックフットプレートを有し、ハプティックベースの遠位端は垂直方向に可撓性の第二の接合域によってハプティックテールに連結されて第二の角度を形成するハプティックテールと
を含み、第一と第二の角度の大きさはレシピエントの眼球への眼内レンズの移植のときに減少し、こうしてレンズ本体の垂直方向湾曲を最小化するかまたは解消する眼内レンズ。
【請求項１５】
近位端と遠位端とを有する接合域と、
接合域の近位端に柔軟に連結されたハプティックベースと、
水平方向に可撓性の部材によって接合域の遠位端に連結されたハプティックフットプレートとを含み、接合域はハプティックフットプレートまたはハプティックベースよりも幅広である、眼内レンズハプティック。
【請求項１６】
ハプティックと、
前面と後面とを有し、第一の面内にあるレンズ本体と、
前面と後面とを有し、第二の面内にある光学系と
を含み、第一の面は第二の面とは相違し、レンズ本体の前面または光学系の前面の双方ではなくいずれか一方は虹彩に相対的により近接している、眼内レンズ。
【請求項１７】
ほぼ平面状であるレンズ本体内部に配置された光学系と、
レンズ本体から第一のハプティックテールに向かって延びる第一のハプティックベースであって、レンズ本体、第一のハプティックベースおよび第一のハプティックテールは第一の屈曲域を有する第一のＳ字形カーブを形成する第１のハプティックベースと、
レンズ本体から第二のハプティックテールに向かって延びる第二のハプティックベースであって、レンズ本体、第二のハプティックベースおよび第二のハプティックテールは第二の屈曲域を有する第二のＳ字形カーブを形成する第２のハプティックベースと、
第一のハプティックテールからレンズ本体とほぼ平行な面内に延びる第一のハプティックフットプレートと、第二のハプティックテールからレンズ本体とほぼ平行な面内に延びる第二のハプティックフットプレートと
を含み、第一の屈曲域と第二の屈曲域との間の間隔はレシピエントの眼球への眼内矯正レンズの移植のときに減少する眼内矯正レンズ。
【請求項１８】
レンズ本体内部に配置された一定の直径の光学系であって、レンズ本体が光学系の直径とほぼ等しい幅を有する光学系と、
レンズ本体から鋭角をなして延び、近位端と遠位端とを有する少なくとも１つのハプティックベースであって、ハプティックベースの近位端がレンズ本体の幅とほぼ等しい幅を有するハプティックベースと、
ハプティックベースから鋭角をなして延びる少なくとも２つのハプティックフットプレートを有するハプティックテールであって、フットプレートがハプティックベースから外側へ６５°未満の角度をなして延びるとともにレンズ本体とほぼ平行な面内に延びるハプティックテールと
を含む、眼内矯正レンズ。
【請求項１９】
光学系の直径は７ｍｍ未満である、請求項１８に記載のレンズ。
【請求項２０】
ハプティックベースの遠位端の幅は光学系の直径の半分未満である、請求項１９に記載のレンズ。
【請求項２１】
少なくとも１つのハプティックベースはレンズ本体から４５°未満の角度をなして延びている、請求項１８に記載のレンズ。
【請求項２２】
少なくとも１つのハプティックベースはレンズ本体から３０°未満の角度をなして延びている、請求項２１に記載のレンズ。
【請求項２３】
光学系は屈折光学系である、請求項１８に記載のレンズ。
【請求項２４】
光学系は回折光学系である、請求項１８に記載のレンズ。
【請求項２５】
回折光学系は、構造体への入射光が光位相ずれを経験するゾーン境界を定める複数のゾーンを有するマルチレベル回折構造体であり、各々の波長の光を異なった回折レベル、ｍ、ｍ≧１で前記焦点に回折させて、複数レベルの回折一重線を付与する、請求項２４に記載のレンズ。
【請求項２６】
光学系は屈折要素と回折要素とを含んでいる、請求項１８に記載のレンズ。
【請求項２７】
ハプティックベースと、
ハプティックベースに近接した端部と遠位端とを有するハプティックフットプレートとを含み、フットプレートはハプティックベースから６５°未満の角度をなして延び、フットプレートの近位端はフットプレートの遠位端の幅のほぼ半分の幅を有する、ハプティックテール。
【請求項２８】
ハプティックベースは上昇カーブを描いてハプティックフットプレートから延びている、請求項２７に記載のハプティックテール。
【請求項２９】
ハプティックベースは４５°未満の角度をなしてハプティックテールから延びている、請求項２８に記載のハプティックテール。
【請求項３０】
ハプティックベースは３０°未満の角度をなしてハプティックテールから延びている、請求項２９に記載のハプティックテール。
【請求項３１】
垂直な光軸を定める光学系と、
光学系と連結した近位部を有するとともに、光軸から外側に向かって移行部を経て遠位端へと延びるハプティックベースであって、移行部が近位部から垂直方向下方に向かって、２つのおおむね逆の角度をなす湾曲部を経て遠位部まで延びて、近位部を遠位部から持ち上げる作用を果たす、ハプティックベースと、
ハプティック本体の遠位部と連結された近位部を有し、おおむね水平方向に外側に向かって一組のハプティックフットプレートへと延びるハプティックテールと
を含む、眼内レンズ（ＩＯＬ）。
【請求項３２】
ハプティックベースは薄い膜を含む、請求項３１に記載の眼内レンズ。
【請求項３３】
眼球の前眼房に移植するための前眼房眼内レンズであって、
レンズ本体内部に配置された光学系と、レンズ本体から下降アーチ形傾斜を描いてハプティックテールに向かって延びるハプティックベースとを含み、
ハプティックテールはハプティックベースから延びるハプティックフットプレートを含み、ハプティックベースのアーチ形傾斜はレシピエントの眼球への眼内矯正レンズの移植のときに増大し、
ハプティックフットプレートは、眼球に切開口をつくることによる眼球の隅角への挿入のために適しており、眼球は前房および隅角を含み、切開口の長さは約２ｍｍ未満であって眼球の前眼房への接近を可能にする、前眼房眼内レンズ。
【請求項３４】
ハプティックフットプレートは、周辺虹彩切除術を行わずに眼球の隅角に挿入するために適している、請求項３３に記載の前眼房眼内レンズ。